(57)【要約】【課題】コンピュータ・ネットワークで属性データを入力する際の入力画面の操作性を高めるなどの機能を有する入力支援システムの提供。【解決手段】入力支援システム２は、コンピュータ・ネットワークで使用される属性データを格納した属性データ格納部３、この属性データ格納部に格納の属性データの表示や選択・設定をなせるようにされた属性データ設定画面を生成させる属性データ設定画面生成手段４を有し、データ管理装置Ａから端末ａ〜ｃに表示される属性データ入力画面を通して属性データ設定画面を端末に起動させ、この端末に起動・表示された属性データ設定画面で入力対象の属性データを選択・設定し、この選択・設定した属性データを属性データ入力画面に取り込むことができるようにされている。【選択図】        図１
2004206225.tif 000002
【特許請求の範囲】
【請求項１】
データ管理装置とこれに接続された複数の端末を含み、前記データ管理装置に対して前記複数の端末からデータの登録や検索をなせるようにされているコンピュータ・ネットワークでの登録や検索における属性データの入力を支援するための入力支援システムにおいて、
前記コンピュータ・ネットワークで使用される属性データを格納した属性データ格納部を有するとともに、この属性データ格納部に格納の属性データの表示や選択・設定をなせるようにされた属性データ設定画面を生成させる属性データ設定画面生成手段を有し、前記データ管理装置から前記端末に表示される属性データ入力画面を通して前記属性データ設定画面生成手段による前記属性データ設定画面を前記端末に起動させ、この端末に起動・表示された属性データ設定画面で入力対象の属性データを選択・設定し、この属性データ設定画面にて選択・設定した属性データを前記属性データ入力画面に取り込むことができるようにされていることを特徴とする入力支援システム。
【請求項２】
前記属性データ設定画面での属性データの選択・設定に関して、一つの属性項目に対し複数の属性データを選択・設定できるようにされている請求項１に記載の入力支援システム。
【請求項３】
前記属性データ設定画面に複数の異なる観点により分類された属性データの候補を表示することで、各々の観点により分類された属性データの候補のいずれからも選択できるようにし、一つの観点により分類された属性データを選択すると、その属性データに対応する他の観点により分類された属性データの候補を絞り込めるようにされている請求項１または請求項２に記載の入力支援システム。
【請求項４】
検索に関しては、階層的に分類される属性項目について、上位階層と下位階層いずれの属性データも選択・設定できるようにされている請求項１〜請求項３のいずれか１項に記載の入力支援システム。
【請求項５】
前記属性データ設定画面の起動時に、前記データ管理装置から当該データ管理装置に固有の条件についての管理装置要求情報が送信され、この管理装置要求情報に基づいて属性データの選択・設定に制限が課されるようにされている請求項１〜請求項４のいずれか１項に記載の入力支援システム。
【請求項６】
検索支援装置を有し、選択・設定された属性データの組合せ情報を前記検索支援装置に統計処理して蓄積し、この統計データを後からのデータ検索に活用できるようにされている請求項１〜請求項５のいずれか１項に記載の入力支援システム。
【発明の詳細な説明】
【０００１】
【発明の属する技術分野】
本発明は、複数の端末が接続されたコンピュータ・ネットワークで使用される入力支援システムに関し、より具体的にはコンピュータ・ネットワーク上での属性データの入力を支援する入力支援システムに関する。
【０００２】
【従来の技術】
図１２は、一般的なコンピュータ・ネットワークの構成例を示すブロック図である。コンピュータ・ネットワークは、端例えばファイル・サーバなどのデータ管理装置Ａと、これに通信回線Ｌを介して接続する複数の端末（端末装置）ａ〜ｃを含んでいる。そして端末ａ〜ｃは、データ管理装置Ａのデータ格納部Ｄａに対しデータの登録や検索が行なえるようになっている。端末ａ〜ｃからコンピュータシステムＡに対してデータの登録や検索を行なう場合、データ登録画面やデータ検索画面などの属性データ入力画面が用いられる。その画面の例を図１３に示す。属性データ入力画面（図の例ではデータ登録画面）１００にはテキスト・ボックス１０１やコンボ・ボックス１０２がある。テキスト・ボックス１０１は、入力する属性データを操作者が書き込む手入力方式であり、コンボ・ボックス１０２は、そこに順次的に表示される属性データ候補から選ぶ選択方式である。従来ではこれらの入力方式が主流であり、いずれも一つの属性項目に対し、一つの属性データのみしか入力できない方式である。
【０００３】
【発明が解決しようとする課題】
上記のような従来のコンピュータ・ネットワークには、以下のような問題があった。まず、属性データの入力に関する問題として、テキスト・ボックスによる手入力方式では、入力ミスや不適切な略称による入力などにより属性データの精度（質）が低下する場合があった。また、コンボ・ボックスによる選択方式で入力を行なう場合には、レコード数が多くなるにしたがって、候補の中から該当属性データを探すのに時間がかかり、このことが処理効率低下の原因の一つとなっていた。また、コンボ・ボックスのように候補の中から一つの属性データしか選択できない選択方式では、一つの属性項目に対し、複数の属性データが該当する場合、いずれか一つの属性データを選択すれば、他の属性データの設定ができないこととなり、設定される属性データの精度が低下する。また、コンボ・ボックスによる選択方式で入力を行なう場合、属性データの候補が操作者に馴染みのある観点で分類されていないと、選択の際に選択ミスが起きやすく、また候補の中から該当する属性データを探すのに時間がかかる。そしてこのことも属性データの精度の低下や処理効率低下の原因の一つとなっていた。
【０００４】
次に、属性データ設定のためのプログラムに関する問題とがある。すなわち上記のようなコンピュータ・ネットワークを新規開発するについて、データの登録や検索など複数の機能において属性データの入力を必要とする場合には、機能画面ごとに属性データ設定のためのプログラム・コードを記述する必要があり、それによってプログラム・コードが複雑となり、このことが「システム」の開発費およびメンテナンス費を高くする原因となっていた。
【０００５】
さらに、コンピュータ・ネットワークに複数のデータ管理装置がある場合のデータ共有化の問題がある。すなわち従来のコンピュータ・ネットワークでは、そこに含まれるデータ管理装置ごとに、属性データ（例えば発電プラントに関してであれば、系統番号、機器種別、図書分類コードなど）について固有の体系を有する。そのため蓄積データを複数のデータ管理装置間で共有化しようとする場合、例えば発電プラントに関する場合であれば、設計段階、運用・保守段階、廃棄段階などのプラントライフサイクルにわたって、それぞれ固有の属性データ体系で設計結果や保守結果などのデータを格納してあり、これらのデータを共有化しようとする場合に、それが困難であった。
【０００６】
本発明は、以上のような従来の事情を背景になされたものであり、その目的は、属性データを入力する際の入力画面の操作性を高めることにより、属性データの精度を向上させ、また属性データの入力における処理効率の向上を図ること、さらにはコンピュータ・ネットワークの属性データ設定部分のプログラムを共有することにより、プログラム・コードを簡潔にし、システム開発費およびメンテナンス費を削減できるようにすることにある。また複数のデータ管理装置間でのデータベースの共有化を容易に行なえるようにすることも目的としている。
【０００７】
【課題を解決するための手段】
上記目的を達成するために本発明では、データ管理装置とこれに接続された複数の端末を含み、前記データ管理装置に対して前記複数の端末からデータの登録や検索をなせるようにされているコンピュータ・ネットワークでの登録や検索における属性データの入力を支援するための入力支援システムにおいて、前記コンピュータ・ネットワークで使用される属性データを格納した属性データ格納部を有するとともに、この属性データ格納部に格納の属性データの表示や選択・設定をなせるようにされた属性データ設定画面を生成させる属性データ設定画面生成手段を有し、前記データ管理装置から前記端末に表示される属性データ入力画面を通して前記属性データ設定画面生成手段による前記属性データ設定画面を前記端末に起動させ、この端末に起動・表示された属性データ設定画面で入力対象の属性データを選択・設定し、この属性データ設定画面にて選択・設定した属性データを前記属性データ入力画面に取り込むことができるようにされていることを特徴としている。
【０００８】
また本発明では上記のような入力支援システムについて、前記属性データ設定画面での属性データの選択・設定に関して、一つの属性項目に対し複数の属性データを選択・設定できるようにしている。
【０００９】
また本発明では上記のような入力支援システムについて、前記属性データ設定画面に複数の異なる観点により分類された属性データの候補を表示することで、各々の観点により分類された属性データの候補のいずれからも選択できるようにし、一つの観点により分類された属性データを選択すると、その属性データに対応する他の観点により分類された属性データの候補を絞り込めるようにしている。
【００１０】
また本発明では上記のような入力支援システムについて、検索に関しては、階層的に分類される属性項目について、上位階層と下位階層いずれの属性データも選択・設定できるようにしている。
【００１１】
また本発明では上記のような入力支援システムについて、前記属性データ設定画面の起動時に、前記データ管理装置から当該データ管理装置に固有の条件についての管理装置要求情報が送信され、この管理装置要求情報に基づいて属性データの選択・設定に制限が課されるようにしている。
【００１２】
また本発明では上記のような入力支援システムについて、検索支援装置を設け、選択・設定された属性データの組合せ情報を前記検索支援装置に統計処理して蓄積し、この統計データを後からのデータ検索に活用できるようにしている。
【００１３】
【発明の実施の形態】
以下、本発明の実施の形態について説明する。図１に示すのは、一実施形態による入力支援システムを適用したコンピュータ・ネットワークの全体的なシステム構成である。コンピュータ・ネットワークＣｎは、例えばファイル・サーバやデータベース・サーバなどの形態をとるデータ管理装置Ａに複数の端末ａ〜ｃがＬＡＮなどの通信回線Ｌを介して接続された構成となっている。そのデータ管理装置Ａはデータ格納部（データベース）Ｄａを有している。そしてデータ格納部Ｄａに対して端末ａ〜ｃにて登録や検索をなすことができるようになっている。
【００１４】
入力支援システム２は、属性データ格納部３と属性データ設定画面生成手段４を有しており、同じく通信回線Ｌを介してコンピュータ・ネットワークＣｎに接続される。属性データ格納部３には入力支援システム２を接続したコンピュータ・ネットワークＣｎにおいて候補となり得る属性項目を後述するような例の様式で全て保管してある。属性データ設定画面生成手段４は、属性データ格納部３の内容を端末ａ〜ｃの表示部に、後述するような属性データ設定画面の形態で表示し、その属性データ設定画面を用いて属性データの選択・設定をなすことができる仕組みとなっている。また本実施形態の入力支援システム２は、検索機能の向上のために検索支援装置５を有しており、この検索支援装置５も通信回線Ｌを介してコンピュータ・ネットワークＣｎに接続されている。
【００１５】
以下では入力支援システム２を用いてのデータ管理装置Ａに対する登録／検索操作について、原子力発電プラントに関するデータを扱う場合の例で説明する。まず登録の場合について説明する。登録を行なうには、例えば端末ａの操作者はまずデータ管理装置Ａに対し属性データ入力画面を要求する。そうすると、図２にその一例を示すような属性データ入力画面（この例では登録であるからデータ登録画面）１０が端末ａに立ち上がる。この例の属性データ入力画面１０には、起動ボタン１１、起動ボタン１２、属性データ受信部１３、属性データ受信部１４、登録ボタン１５などが含まれている。起動ボタン１１と起動ボタン１２は、属性データ設定画面生成手段４に後述の属性データ設定画面を起動させるための指示を入力するボタンであり、起動ボタン１１は属性項目の一例である系統番号についての属性データ設定画面を起動させ、起動ボタン１２は同じく属性項目の一例である機器種別についての属性データ設定画面を起動させる。属性データ受信部１３、１４は、属性データ設定画面起動で選択・設定された属性データの受信を行ない、ボタン１１、１２に対応しており、属性データ受信部１３は、系統番号用であり、属性データ受信部１４は機器種別用である。
【００１６】
この属性データ入力画面１０は、図１３の従来における属性データ入力画面１００とは、属性データ入力画面１００におけるコンボ・ボックス１０２やテキスト・ボックス１０１に対して、起動ボタン１１、起動ボタン１２、属性データ受信部１３、属性データ受信部１４、登録ボタン１５が含まれている点で異なっている。これは属性データ入力画面１０を入力支援システム２の機能に対応させて一部修正したことによる。そのような修正はデータ管理装置Ａにおけるデータ登録画面プログラムに若干の変更を加えるだけで行なうことができる。このことは既存のコンピュータ・ネットワークに入力支援システム２を適用する場合である。一方、新規にコンピュータ・ネットワークを開発するにあたって入力支援システム２を予め組み込む場合には、属性データ設定部分を入力支援システム２により共有化することができ、これによりプログラム・コードが簡潔になり、システム開発費およびメンテナンス費を削減できるようになる。
【００１７】
属性データ入力画面１０において系統番号に関する属性データを入力するには、まず系統番号についての起動ボタン１１を押す。これにより入力支援システム２に対して表示要求が送信される。この表示要求の送信に際しては、図３にその例を示す管理装置要求情報がデータ管理装置Ａから同時に送信される。管理装置要求情報は、データ管理装置Ａに固有の条件に関するものであり、図の例の管理装置要求情報にプラント＝“ＡＡ”とあるのは、データ管理装置Ａが“ＡＡ”というプラントに関するデータを管理しているからである。もっとも、これは操作者による指定で与えられる場合もある。
【００１８】
表示要求と管理装置要求情報を受信した入力支援システム２は、属性データ設定画面生成手段４により、図４にその例を示す属性データ設定画面２０を端末ａに起動・表示させる。属性データ設定画面２０には、データの登録対象（本例の場合は原子力発電プラント）を選択するための登録対象選択エリアであるプラント選択エリア２１、入力する属性データを選択するための属性データ選択エリアである系統選択エリア２２、追加ボタン２３、選択データ表示エリア２４、ＯＫボタン２５などが含まれている。そのプラント選択エリア２１には、入力支援システム２が受信した管理装置要求情報にプラント＝“ＡＡ”とあったので、初期表示としてＡＡが表示されている。系統選択エリア２２は、複数の属性データが同時的に表示される。属性データの複数同時表示は図の例のようなツリー構造表示、あるいはリスト表示とするのが一般的である。
【００１９】
プラント選択エリア２１の登録対象が“ＡＡ”でよければ、操作者は、系統選択エリア２２において、例えば系統種別２６を開いて該当する系統番号２７、例えば「Ｂ１１原子炉構成機器」を選択する。一つの系統番号を選択したら追加ボタン２３を押す。これにより選択したデータつまり「Ｂ１１原子炉構成機器」が選択データ表示エリア２４に表示されて設定される。選択データ表示エリア２４は複数の属性データを表示・設定きるようになっている。したがってその表示可能数の範囲で、上と同じ操作を繰り返して複数の系統番号を選択データ表示エリア２４に並列して表示・設定することができる。必要なデータを選択・設定し終えたら、ＯＫボタン２５を押す。すると、選択データ表示エリア２４に表示・設定した属性データがデータ管理装置Ａに送信される。この送信を受けたデータ管理装置Ａは、図２の属性データ入力画面１０を端末ａに再び表示させる。その属性データ入力画面１０の属性データ受信部１３には選択データ表示エリア２４からの内容が表示される。この後は、登録ボタン１５を押すと、データ管理装置Ａのデータ格納部Ｄａにレコードが新規登録されるなど、データ管理装置Ａにおける処理フローにしたがった処理が行なわれる。
【００２０】
図５に示すのは属性データ設定画面２０に関する以上のような操作に関連した処理の主要部分の流れである。まず属性データ設定画面２０に属性項目選択のための候補の表示（系統選択エリア２２の表示）がなされる（ステップ３０）。次いで候補からの選択を操作者が行なう（ステップ３１）。選択がなされて追加ボタン２３が押されると、既に選択データ表示エリア２４に表示させてあるデータの全文字長と新たに選択したデータの文字長との合計を求める、文字長計算を行なう（ステップ３２）。それからその結果を管理装置要求情報で許容されている最大文字長と比較する（ステップ３３）。図３の例ではその最大文字長が２５５バイトとなっているので、この範囲であれば追加を許容して選択データ表示エリア２４に表示・設定し（ステップ３４）、一方これを超えていた場合には、図６に例を示す警告ダイアログが表示される（ステップ３５）。
【００２１】
次に、図２の属性データ入力画面１０において機器種別に関する属性データを入力する例について説明する。機器種別に関する属性データを入力するには、まず機器種別についての起動ボタン１２を押す。そうすると系統番号の場合と同様にして、図７にその例を示す属性データ設定画面４０が端末ａに表示される。属性データ設定画面４０には、型式分類選択エリア４１、操作分類選択エリア４２、機能分類選択エリア４３、追加ボタン４４、選択データ表示エリア４５、ＯＫボタン４６などが含まれている。このうちのエリア４１〜４３は、属性項目を選択するための属性項目選択エリアである。このように、属性データ設定画面４０に型式分類選択エリア４１、操作分類選択エリア４２および機能分類選択エリア４３として複数の属性項目選択エリアを設けてあるのは、機器種別という一つの属性項目に対して、型式、操作および機能という異なる観点により分類された属性データの候補を表示するためである。すなわちこれらのいずれか一つの観点で分類された属性データの候補についても選択できるようにし、一つの観点により分類された属性データを選択すると、その属性データに対応する他の観点により分類された属性データの候補が絞り込まれる仕組みとしたものである。このようにすることにより、入力支援システムの機能性をより一層高めることができる。
【００２２】
例えば、型式分類選択エリア４１で型式ＡＡＡを選択すると、入力支援システム２の属性データ格納部３に格納されている図８に示す例のような組合せ表に基づき、操作と機能の各分類について型式ＡＡＡに関連する候補が表示される。そして操作者は、操作と機能の表示内容を見て自分が選択したデータ（この例では型式ＡＡＡ）が間違いないか、確認することができる。それから操作分類選択エリア４２で例えば操作ＢＢＢを選ぶと機能の候補が絞り込まれる。そして機能分類選択エリア４３で例えば機能ＣＣＣを選択し、追加ボタン４４を押す。すると、選択データ表示エリア４５に「型式ＡＡＡ,操作ＢＢＢ,機能ＣＣＣ」というデータが表示されて設定される。選択データ表示エリア４５は、図４における選択データ表示エリア２４と同様に、複数の属性データを表示・設定できるようになっている。したがってその表示可能数の範囲で、上と同じ操作を繰り返して複数の機器種別を選択してそれを選択データ表示エリア４５に並列して表示・設定することができる。ただし、この場合にも選択できるデータの全文字長に制限があることは上記と同様である。必要なデータを選択・設定し終えたら、ＯＫボタン４６を押す。すると、選択データ表示エリア４５に表示・設定した属性データがデータ管理装置Ａに送信さる。この送信を受けたデータ管理装置Ａは、属性データ入力画面１０を端末ａに再び表示させる。その属性データ入力画面１０の属性データ受信部１４には選択データ表示エリア４５からの内容が表示される。この後は、登録ボタン１５を押すと、データ管理装置Ａのデータ格納部Ｄａにレコードが新規登録されるなど、データ管理装置Ａにおける処理フローにしたがった処理が行なわれる。
【００２３】
複数の属性データの登録においては、属性データを送信する際に、操作者が設定した属性データについての組合せ情報を図１の検索支援装置５に送信し、図１０に例を示すような統計情報として蓄積しておくようにする。このようにすることにより、登録に際して指定された、ある属性データと同時に登録されたものを類似した属性データとして自動認識することが可能となり、次に行われる検索の検索機能をより高度なものにすることができる。
【００２４】
次に、データ管理装置Ａに対してデータの検索を行なう場合について説明する。例えば端末ａで検索を行なう場合には、図９に例を示す属性データ入力画面（この場合は検索であるのでデータ検索画面）５０が端末ａに表示される。属性データ入力画面５０は、起動ボタン５１、起動ボタン５２、検索結果表示エリア５３などを含んでいる。起動ボタン５１と起動ボタン５２は、属性データ設定画面生成手段４に属性データ設定画面を起動させるための指示を入力するボタンであり、起動ボタン５１は、一例として系統番号についての図４の属性データ設定画面１０を起動させ、起動ボタン５２は、一例として機器種別についての図７の属性データ設定画面４０を起動させる。この属性データ入力画面５０で起動ボタン５１または起動ボタン５２を押すと、上で説明した登録の場合と同様に、入力支援システム２に対して表示要求が管理装置要求情報とともに送信される。ただしこの場合の管理装置要求情報では「表示画面＝“検索”」となる。そして起動ボタン５１に対しては図４の属性データ設定画面２０が端末ａに表示され、起動ボタン５２に対しては図７の属性データ設定画面４０が端末ａに表示される。これら属性データ設定画面２０と属性データ設定画面４０は登録の場合と同じであるが、管理装置要求情報で「表示画面＝“検索”」となっていることにより、属性データ設定画面２０や属性データ設定画面４０からの選択の範囲が広がる。すなわち例えば属性データ設定画面２０であれば、登録の場合には系統種別（その具体的例は「Ｂ原子蒸気発生系統」）２６の下位階層である系統番号２７についてだけ選択できたのに対し、検索の場合には上位階層の系統種別２６についても選択することができるようになる。このようにすることにより、検索機能を高めることができる。
【００２５】
図１１に示すのは、図１におけるのと同じ入力支援システム２と検索支援装置５を、複数のデータ管理装置Ａ〜Ｃを有するコンピュータ・ネットワークに適用した例である。このように複数のデータ管理装置を有するコンピュータ・ネットワークに適用しても、データ管理装置が複数であることを除いては、図１の場合と基本的に同様であり、登録や検索における操作なども上で説明したことと基本的に同様である。ただ、データ管理装置Ａ〜Ｃは、それぞれ属性データ入力画面をもっており、端末ａ〜ｃはそのいずれの属性データ入力画面からも上で説明したような操作を行なうことが可能とされる。また入力支援システム２の属性データ格納部３には、複数のデータ管理装置Ａ〜Ｃにおいて候補となり得る属性項目を全て保管してある。なおデータ管理装置Ｂ、Ｃがデータ格納部Ｄｂ、Ｄｃを有していることはデータ管理装置Ａと同様である。このように、データ管理装置が複数ある場合に入力支援システム２を適用すると、データ管理装置間でのデータベースの共有化を容易に行なえるようになるという点で、入力支援システム２の有用性をさらに活かすことができる。
【００２６】
【発明の効果】
以上説明したように本発明によれば、属性データの入力画面の操作性を高めることができ、これにより属性データの精度を向上させ、また属性データの入力における処理効率の向上を図ることが可能となる。またコンピュータ・ネットワークの属性データ設定部分のプログラムを共有できるようになり、プログラム・コードを簡潔にし、システム開発費およびメンテナンス費を削減することが可能となる。また、候補から複数のデータを選択できるようにすることができ、一つの属性項目に対し、該当属性データが複数ある場合、その全てを設定することができ、属性データの精度を向上させることができる。また、属性データの候補を複数の観点で分類して表示することにより、操作者が選択する際の迷いによる選択ミスなどを有効に避けることができるようになるし、該当属性データを探す時間の短縮も図られ、処理効率が向上するとともに属性データの精度が向上する。さらに、複数のデータ管理装置間でのデータの共有化が容易となり、蓄積データの活用性を高めることが可能となる。
【図面の簡単な説明】
【図１】一実施形態による入力支援システムを適用したコンピュータ・ネットワークの構成の一例を示す図である。
【図２】入力支援システムを登録の場合に起動する属性データ入力画面の一例を示す図である。
【図３】管理装置要求情報一例を示す図である。
【図４】入力支援システムの属性データ設定画面の一例を系統番号について示す図である。
【図５】属性データ設定画面２０に関する処理の主要部分の流れを示す図である。
【図６】文字長超過警告ダイアログの一例を示す図である。
【図７】入力支援システムを登録の場合に起動する属性データ入力画面の他の例を示す図である。
【図８】入力支援システムの属性データ組合せ表の一例を示す図である。
【図９】入力支援システムを検索の場合に起動する属性データ入力画面の一例を示す図である。
【図１０】入力支援システムの設定属性データ統計情報の一例を示す図である。
【図１１】複数のデータ管理装置を有するコンピュータ・ネットワークに入力支援システムを適用した構成の一例を示す図である。
【図１２】従来のコンピュータ・ネットワークの一般的な構成を示す図である。
【図１３】従来の属性データ入力画面の一例を示す図である。
【符号の説明】
２  入力支援システム
３  属性データ格納部
４  属性データ設定画面生成手段
５  検索支援装置
１０，５０  属性データ入力画面
２０，４０  属性データ設定画面
Ａ，Ｂ，Ｃ  データ管理装置
ａ，ｂ，ｃ  端末
Ｃｎ  コンピュータ・ネットワーク
【図１】
2004206225.tif 000003
【図２】
2004206225.tif 000004
【図３】
2004206225.tif 000005
【図４】
2004206225.tif 000006
【図５】
2004206225.tif 000007
【図６】
2004206225.tif 000008
【図７】
2004206225.tif 000009
【図８】
2004206225.tif 000010
【図９】
2004206225.tif 000011
【図１０】
2004206225.tif 000012
【図１１】
2004206225.tif 000013
【図１２】
2004206225.tif 000014
【図１３】
2004206225.tif 000015